(57)【要約】本発明は、反射音を利用して低音を補強することによって周波数特性及び音質を向上させる低音反射型ヘッドホンに関し、本発明の低音反射型ヘッドホンは、頭に着用したり耳につけて使用するヘッドホンにおいて、前面が耳に向かっていて、耳方向に直接音を発散するスピーカーユニットと、前記スピーカーユニットの背面を取り囲むエンクロージャと、前記スピーカーユニットの背面で発生する逆位相音を反射させ、反射された反射音を利用して低音を補強する反射装置と、を含んでなることを特徴とすることにより、小径のヘッドホンスピーカーユニットの短所である低域再生を補強して音質を向上させ、かつ再生音の歪曲を減らして音楽鑑賞時に十分な低域の聞き取りを願うユーザーに満足すべき音質を提供し、映画鑑賞時に現場感及び現実感を増進させて映画の面白味を十分に楽しめるようにし、また、スピーカーユニットの前面で発生する直接音が特定周波数領域で再生特性がよくない時、間接音を補強して脆弱な周波数領域を聞き取りやすくチューニング可能にして同じ製品コストで製品の性能を最大限高められる。
2005501496.tif 000002
【特許請求の範囲】
【請求項１】
頭に着用したり耳につけて使用するヘッドホンにおいて、
前面が耳に向かっていて、耳方向に直接音を発散するスピーカーユニットと、
前記スピーカーユニットの背面を取り囲むエンクロージャと、
前記スピーカーユニットの背面で発生する逆位相音を反射させ、反射された反射音を利用して低音を補強する反射装置と、を含んでなることを特徴とする低音反射型ヘッドホン。
【請求項２】
前記エンクロージャの内面は逆位相音の反射を容易にするために丸い凹状になっていることを特徴とする請求項１に記載の低音反射型ヘッドホン。
【請求項３】
前記反射手段は、前方開口は耳に向かっており、後方開口は前記エンクロージャと連通されており、補強される低音の周波数によってその内径と長さ及び位置が最適化設計される少なくとも一つ以上の円筒形ダクトであることを特徴とする請求項１に記載の低音反射型ヘッドホン。
【請求項４】
前記反射手段は、前記エンクロージャの後方空間から前記エンクロージャの前方パネルに形成された開口まで連結される導波管であることを特徴とする請求項１に記載の低音反射型ヘッドホン。
【請求項５】
耳への接触時に前記エンクロージャの着用感を良くし、前記直接音及び間接音が耳の外に漏れることを防止するために前記エンクロージャの前面パネル（バッフル）に前記スピーカーユニット及び反射手段を包み、かつ耳を取り囲む形のクッション部材が設置されることを特徴とする請求項１に記載の低音反射型ヘッドホン。
【請求項６】
前記スピーカーユニットは、ユーザーに音の前後方立体感を感じさせるためにユーザーを基準として前方に設置されるフロントスピーカーユニット及び後方に設置されるリアスピーカーユニットがそれぞれフロントエンクロージャ及びリアエンクロージャに設置され、互いに１組をなしてユーザーの左耳及び右耳にそれぞれハウジングにより着脱自在に設置され、前記反射手段は、ユーザーに音の前後方立体感を感じさせるためにユーザーを基準として前方に設置されるフロント反射ダクト及び後方に設置されるリア反射ダクトが互いに１組をなしてユーザーの左耳及び右耳にそれぞれ設置されることを特徴とする請求項１に記載の低音反射型ヘッドホン。
【請求項７】
前記スピーカーユニットで発生する直接音と、前記反射手段で発生する間接音とをチューニングするために前記直接音と間接音とを誘導する音響誘導構造物を形成することを特徴とする請求項６に記載の低音反射型ヘッドホン。
【請求項８】
前記音響誘導構造物は、一側に開口が形成され、直接音と間接音とがそれぞれジグザグに反射されるように所定間隔で水平形成された二重隔板と、
前記二重隔板の開口に垂直に形成される垂直回転板と、を含んでなることを特徴とする請求項７に記載の低音反射型ヘッドホン。
【発明の詳細な説明】
【技術分野】
【０００１】
本発明は低音反射型ヘッドホンに関し、より詳細には反射音を利用して低音を補強することによって周波数特性及び音質を向上させる低音反射型ヘッドホンに関する。
【背景技術】
【０００２】
一般的に、従来のヘッドホンは頭に着用したり耳につけて使用するものであって、他人に迷惑をかけずにスピーカーユニットで再生される音をユーザーひとりで聞き取れるようにスピーカーユニットを最大限耳に密着させて音楽鑑賞やその他映画鑑賞を可能にする構成である。
【０００３】
最近、アパートなどの共同住宅で音楽や映画を鑑賞する時、となりに迷惑をかけずに十分な音量及び音質で音楽及び映画を楽しめる利点のためにそのヘッドホンはよく使われている。
【０００４】
このような従来のヘッドホンは、通常前面が耳に向かっていて、耳方向に直接音を発散するスピーカーユニットと、前記スピーカーユニットの背面を取り囲むエンクロージャとよりなっている。
【０００５】
したがって、ユーザーは前記スピーカーユニットの前面で発生する直接音だけを聞き取れるだけで、前記スピーカーユニットの前面で直接音が発生する時に必然的に発生するスピーカーユニットの背面で発生する逆位相音を積極的に利用できなかった。
【０００６】
しかし、いままで、ヘッドホンに適用するためには一般的なスピーカーに比べて直径が非常に小さくかつコンパクトに製作するしかないスピーカーユニットの劣悪な周波数特性を改善できる方法もなかった。
【０００７】
特に、小径のスピーカーユニットの最脆弱点である低周波数の低域再生において、従来のヘッドホンでは、音波エネルギーの大部分を占め、かつ音質を左右する最も主要な要素である低域の大部分をほとんど聞き取れないため、音楽鑑賞時に低域部分が非常に歪曲されて音質を落とし、映画鑑賞時に銃弾音や爆発音など映画の現実感及び現場感を造成する低域の再生が非常に貧弱で映画の面白味が半減されることによってヘッドホンを使用しがたい多くの問題点があった。
【０００８】
また、従来のヘッドホンは、スピーカーユニットの前面で発生する直接音の帯域間の格差が大きいか、またはクロスオーバー周波数によって再生特性がよくない周波数領域がある時、脆弱な周波数領域を聞き取りやすく変えるために特定周波数帯域を補強する別途のチューニング方法がなかったために、同じ製品コストで製品の性能を最大限発揮できなかった問題点があった。
【発明の開示】
【０００９】
前記のような問題点を解決するための本発明の目的は、小径のヘッドホンスピーカーユニットの短所である低域再生を補強して音質を向上させ、かつ再生音の歪曲を減らして音楽鑑賞時に十分な低域の聞き取りを願うユーザーに満足すべき音質を提供し、映画鑑賞時に現場感及び現実感を増進させて映画の面白味を十分に楽しめるようにする低音反射型ヘッドホンを提供するところにある。
【００１０】
また、本発明の他の目的は、スピーカーユニットの前面で発生する直接音が特定周波数領域で再生特性がよくない時、間接音を補強して脆弱な周波数領域を聞き取りやすくチューニング可能にして同じ製品コストで製品の性能を最大限高められる低音反射型ヘッドホンを提供するところにある。
【００１１】
前記目的を達成するための本発明の低音反射型ヘッドホンは、頭に着用したり耳につけて使用するヘッドホンにおいて、前面が耳に向かっていて、耳方向に直接音を発散するスピーカーユニットと、前記スピーカーユニットの背面を取り囲むエンクロージャと、前記スピーカーユニットの背面で発生する逆位相音を反射させ、反射された反射音を利用して低音を補強する反射装置と、を含んでなることを特徴とする。
【００１２】
また、前記反射手段は、前方開口は耳に向かっており、後方開口は前記エンクロージャと連通されており、補強される低音の周波数によってその内径と長さ及び位置が最適化設計される少なくとも一つ以上の円筒形ダクトであるか、前記エンクロージャの後方空間から前記エンクロージャの前方パネルに形成された開口まで連結される導波管であることが望ましい。
【００１３】
また、前記スピーカーユニットは、ユーザーに音の前後方立体感を感じさせるためにユーザーを基準として前方に設置されるフロントスピーカーユニット及び後方に設置されるリアスピーカーユニットがそれぞれフロントエンクロージャ及びリアエンクロージャに設置され、互いに１組をなしてユーザーの左耳及び右耳にそれぞれハウジングにより着脱自在に設置され、前記反射手段は、ユーザーに音の前後方立体感を感じさせるためにユーザーを基準として前方に設置されるフロント反射ダクト及び後方に設置されるリア反射ダクトが互いに１組をなしてユーザーの左耳及び右耳にそれぞれ設置される。
【００１４】
また、前記スピーカーユニットで発生する直接音と、前記反射手段で発生する間接音とをチューニングするために前記直接音と間接音とを誘導する音響誘導構造物は、一側に開口が形成され、直接音と間接音とがそれぞれジグザグに反射されるように所定間隔で水平形成された二重隔板と、前記二重隔板の開口に垂直に形成される垂直回転板と、を含んでなる。
【発明を実施するための最良の態様】
【００１５】
以下、本発明の望ましい実施例による低音反射型ヘッドホンを図面を参照して詳細に説明する。
【００１６】
まず、図１に図示されたように、本発明の望ましい一実施例による低音反射型ヘッドホンは、頭に着用したり耳につけて使用するものであって、スピーカーユニット１０と、エンクロージャ２０及び反射装置３０を含んでなる。
【００１７】
すなわち、前記スピーカーユニット１０は、ユーザーの片耳または両耳に密着されるように頭に着用するアーチ型ヘアバンドの両端に設置されるか、耳にかけるフック型掛けに設置されるか、耳に差し込んでいわゆるイヤホンと呼ばれる形に設置されるなど耳に密着させるあらゆる密着手段に設置できるものであって、重量及び体積が最大限小さくなるように小径のコンパクトな部品よりなってその振動板の前面が耳に向かい、電気エネルギーを音波エネルギーに変えて耳方向に直接音Ｓを発散するものである。
【００１８】
また、前記エンクロージャ２０は、前記スピーカーユニット１０の振動板の背面を取り囲むものであって、前記スピーカーユニット１０の振動板の背面で発生する逆位相音が振動板前面で発生する直接音Ｓを妨害して音質が落ちないようにする。
【００１９】
一方、本発明の前記反射装置３０は、前記スピーカーユニット１０の背面で発生する逆位相音を反射させ、反射された反射音Ｓ’を利用して低音を補強するものであって、逆位相音の全部を反射するのではなく特定帯域の逆位相音だけを反射するものである。
【００２０】
すなわち、図１に図示されたように、本発明の前記反射装置３０の一例を例示すれば、前記反射装置３０は、前方開口３１ａは耳に向かい、後方開口３１ｂは前記エンクロージャ２０と連通され、補強される低音の周波数によってその内径及び長さが最適化設計される少なくとも一つ以上の円筒形ダクト３１である。
【００２１】
また、前記エンクロージャ２０の内面は逆位相音の反射を容易にするために丸い凹状になっており、それ以外にも各種特定周波数の反射を助けて、特定周波数以外の周波数を吸収する反射及び吸収構造物（図示せず）が設置されることもある。
【００２２】
したがって、前記スピーカーユニット１０の振動板が微細に前進及び後進しながら振動する時、スピーカーユニット１０の前面で発生する直接音Ｓはユーザーの耳にそのまま伝えられ、スピーカーユニット１０の背面で発生する逆位相音は前記エンクロージャ２０の内面に反射され、そのうち音波の性質上前記ダクト３１の内径と長さ及び位置に一致する特定周波数の逆位相音だけ選択されて、前記ダクト３１の後方開口３１ｂをすぎて前方開口３１ａに誘導されて反射音Ｓ’の形にユーザーの耳に伝達されることである。
【００２３】
このような前記反射装置３０によって小径のスピーカーユニット１０でも十分な低域再生が可能であって音楽鑑賞時にオルガン、チェロ、大太鼓など低域の音質を向上させ、映画鑑賞時に銃弾音や爆発音など映画の現実感及び現場感を造成する低域の再生が可能であってユーザーが映画の面白味を十分に楽しめるようにする利点がある。
【００２４】
また、スピーカーユニット１０の前面で発生する直接音Ｓの周波数特性がよくない時、問題となる周波数領域を反射音Ｓ’で補強してチューニングすることにより音質を最大限向上させうる。
【００２５】
また、耳への接触時に前記エンクロージャ２０の着用感を良くし、前記直接音Ｓ及び間接音Ｓ’が耳の外に漏れることを防止するために、前記エンクロージャ２０の前面パネル２０ａ（バッフル）に、前記スピーカーユニット１０及び前記ダクト３１の前方開口３１ａを包み、耳を取り囲むリング状のクッション部材４０が設置されることが望ましい。
【００２６】
このような前記クッション部材４０は、緩衝作用をするスポンジや各種発泡物質または弾性材質に革や布を包んだものなどが適用できる。
【００２７】
一方、図２に図示されたように、本発明の望ましい他の実施例による低音反射型ヘッドホンは、前記反射装置３０が、前記エンクロージャ２０の後方空間Ｒから前記エンクロージャ２０の前方パネルに形成された開口３２ａまで連結される導波管３２よりなっている。
【００２８】
このような前記導波管３２は、補強される低音の周波数によってその内径及び長さが最適化設計されうる。
【００２９】
また、前記導波管３２の内部に各種特定周波数の反射を助け、かつ特定周波数以外の周波数を吸収する反射及び吸収構造物（図示せず）が設置されることもある。
【００３０】
したがって、前記スピーカーユニット１０の振動板が微細に前後進しながら振動する時、スピーカーユニット１０の前面で発生する直接音Ｓはユーザーの耳にそのまま伝えられ、スピーカーユニット１０の背面で発生する逆位相音は、音波の性質上前記導波管３２の内径及び長さと一致する特定周波数の逆位相音だけ選択されて前記導波管３２を過ぎて反射音Ｓ’の形にユーザーの耳に伝達される。
【００３１】
一方、図３に図示されたように、本発明の望ましいさらに他の実施例による低音反射型ヘッドホンの前記スピーカーユニット１０には、ユーザーに音の前後方立体感を感じさせるためにユーザーを基準として前方に設置されるフロントスピーカーユニット１０ｆ及び後方に設置されるリアスピーカーユニット１０ｒがそれぞれフロントエンクロージャ２０ｆ及びリアエンクロージャ２０ｒに設置され、互いに１組をなしてユーザーの左耳及び右耳にそれぞれハウジング５０により着脱自在に設置され、前記反射装置３０には、ユーザーに音の前後方立体感を感じさせるためにユーザーを基準として前方に設置されるフロント反射ダクト３１ｆ及び後方に設置されるリア反射ダクト３１ｒが互いに１組をなしてユーザーの左耳及び右耳にそれぞれ設置されることが可能である。
【００３２】
したがって、ユーザーは、フロント左側スピーカーユニット１０ｆ、フロント右側スピーカーユニット１０ｆ、リア左側スピーカーユニット１０ｒ、リア右側スピーカーユニット１０ｒで４チャンネル立体音響を楽しむことができ、各スピーカーユニット１０ｆ、１０ｆ、１０ｒ、１０ｒの足りない周波数帯域をフロント左側反射ダクト３１ｆ、フロント右側反射ダクト３１ｆ、リア左側反射ダクト３１ｒ、リア右側反射ダクト３１ｒで音質を補強してまるで仮想ウーファのような効果を得られる。
【００３３】
また、図５に図示されたように、前記スピーカーユニット１０で発生するフロント直接音Ｓｆと、前記反射装置３０で発生する間接音Ｓ’ｆとをチューニングするために前記直接音Ｓｆと間接音Ｓ’ｆとを誘導する音響誘導構造物６０を形成することができる。
【００３４】
すなわち、図４及び図５に図示されたように、前記音響誘導構造物６０は、二重隔板６１及び垂直回転板６２でなる構成であって、前記二重隔板６１は、一側に開口６０ａが形成され、直接音Ｓｆと間接音Ｓ’ｆとがそれぞれジグザグに反射されるように所定間隔で水平形成されるものであり、前記垂直回転板６２は、前記二重隔板６１の開口６０ａに垂直に形成されるものである。
【００３５】
したがって、前記直接音Ｓｆがユーザーの耳に直接到達することではなく、前記間接音Ｓ’ｆはもとより、前記直接音Ｓｆも再び前記音響誘導構造物６０に反射させて周波数特性を向上させ、優秀な音場感を形成するようにチューニングすることによって最上の音質を達成できる。
【００３６】
本発明は前述した実施例に限定されず、本発明の思想を損しない範囲内で当業者による変形が可能であるということはもちろんである。
【００３７】
例えば、本発明の実施例ではヘッドホンに限定されているが、ヘッドホン以外にも各種イヤホンやバックホンや補聴器など耳に密着されるあらゆる音響機器に適用できる。
【００３８】
したがって、本発明で権利を請求する範囲は詳細な説明の範囲内で決まることではなく後述する請求の範囲及びその技術的思想により限定される。
【産業上の利用可能性】
【００３９】
以上のように本発明の低音反射型ヘッドホンによれば、小径のヘッドホンスピーカーユニットの短所である低域再生を補強して音質を向上させ、かつ再生音の歪曲を減らして音楽鑑賞時に十分な低域の聞き取りを願うユーザーに満足すべき音質を提供し、映画鑑賞時に現場感及び現実感を増進させて映画の面白味を十分に楽しめるようにし、また、スピーカーユニットの前面で発生する直接音が特定周波数領域で再生特性がよくない時、間接音を補強して脆弱な周波数領域を聞き取りやすくチューニング可能にして同じ製品コストで製品の性能を最大限高められる。
【図面の簡単な説明】
【００４０】
【図１】本発明の望ましい一実施例による低音反射型ヘッドホンを示す概念図である。
【図２】本発明の望ましい他の実施例による低音反射型ヘッドホンを示す概念図である。
【図３】本発明の望ましいさらに他の実施例による低音反射型ヘッドホンを示す概念図である。
【図４】図３のフロントエンクロージャ及びリアエンクロージャの他の一例を示す部品分解斜視図である。
【図５】図４のフロントエンクロージャを示す断面図である。
【国際公開パンフレット】
2005501496.tif 000003
2005501496.tif 000004
2005501496.tif 000005
2005501496.tif 000006
2005501496.tif 000007
2005501496.tif 000008
2005501496.tif 000009
2005501496.tif 000010
2005501496.tif 000011
2005501496.tif 000012
2005501496.tif 000013
2005501496.tif 000014
2005501496.tif 000015
2005501496.tif 000016
2005501496.tif 000017
2005501496.tif 000018
2005501496.tif 000019
2005501496.tif 000020
【国際公開パンフレット（コレクトバージョン）】
2005501496.tif 000021
2005501496.tif 000022
【国際調査報告】
2005501496.tif 000023